(57)【特許請求の範囲】
【請求項１】
ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、
前記固定用蓋部材の頂面板の上面には、当該固定用蓋部材の頂面板の上面と同様の円形形状であり且つシート状の表示片であって、その裏面側に対象物に対して着脱可能に粘着する粘着剤が塗布された表示片が複数枚重畳的に配設された表示片群が貼着され、
該表示片群を構成する各表示片のそれぞれの表面側には、前記薬用瓶の内容物の成分の残量に関する表示がなされていることを特徴とする残量表示片付薬用瓶。
【請求項２】
前記表示片群を構成する各表示片のそれぞれの周縁部には、外側方向に延在するタグが連設されており、当該複数個のタグのそれぞれの表面側には、連設されている前記表示片の表面側になされている前記表示と同一内容の表示がなされていることを特徴とする請求項１に記載の残量表示片付薬用瓶。
【請求項３】
前記タグの近傍の前記表示片の裏面側には、前記粘着剤が塗布されていないことを特徴とする請求項２に記載の残量表示片付薬用瓶。
【請求項４】
ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、
前記固定用蓋部材の頂面板の上面には、当該固定用蓋部材の頂面板の上面と同じ円形形状の紙葉体であり、その裏面側に対象物に対して着脱可能に粘着する粘着剤が塗布されている紙葉体であるシール部材が貼着され、
当該円形形状のシール部材の上面には、当該シール部材と同様の構成の紙葉体であり且つ切断線によって複数個の表示片に分割されている表示片群が貼着され、
該表示片群を構成する各表示片のそれぞれの表面側には、前記薬用瓶の内容物の成分の残量に関する表示がなされていることを特徴とする残量表示片付薬用瓶。
【請求項５】
ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、
前記口金の上面に載置可能な円盤形状であって、その下面側には前記口金の透孔の周縁部の前記口金の頂面板に嵌合する嵌合係止部が形成されている嵌着用蓋部材を具え、
前記固定用蓋部材の頂面板の上面の形状は、前記透孔を有する前記口金の頂面板の上面の形状と同じ形状となるように形成され、
前記嵌着用蓋部材の上面には、当該上面と同様の円形形状であり且つシート状の表示片であって、その裏面側に対象物に対して着脱可能に粘着する粘着剤が塗布された表示片が複数枚重畳的に配設された表示片群が貼着され、
該表示片群を構成する各表示片のそれぞれの表面側には、前記薬用瓶の内容物の成分の残量に関する表示がなされていることを特徴とする残量表示片付薬用瓶。
【請求項６】
前記表示片群を構成する各表示片のそれぞれの周縁部には、外側方向に延在するタグが連設されており、当該複数個のタグのそれぞれの表面側には、連設されている前記表示片の表面側になされている前記表示と同一内容の表示がなされていることを特徴とする請求項５に記載の残量表示片付薬用瓶。
【請求項７】
前記タグの近傍の前記表示片の裏面側には、前記粘着剤が塗布されていないことを特徴とする請求項６に記載の残量表示片付薬用瓶。
【請求項８】
ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、
前記口金の上面に載置可能な円盤形状であって、その下面側には前記口金の透孔の周縁部の前記口金の頂面板に嵌合する嵌合係止部が形成されている嵌着用蓋部材を具え、
前記固定用蓋部材の頂面板の上面の形状は、前記透孔を有する前記口金の頂面板の上面の形状と同じ形状となるように形成され、
前記嵌着用蓋部材の上面には、当該嵌着用蓋部材の上面と同様の円形形状の紙葉体であり、その裏面側に対象物に対して着脱可能に粘着する粘着剤が塗布され且つ切断線によって複数個の表示片に分割されている表示片群が貼着され、
該表示片群を構成する各表示片のそれぞれの表面側には、前記薬用瓶の内容物の成分の残量に関する表示がなされていることを特徴とする残量表示片付薬用瓶。
【発明の詳細な説明】
【技術分野】
【０００１】
本発明は、薬剤や薬液等を収納するための薬用瓶、殊に、時間を隔てて多数回使用する内容物を収納するための残量表示片付薬用瓶に関するものである。
【背景技術】
【０００２】
図１８は、薬剤Ｍ１を収納している従来の薬用瓶１０の構成を示した斜視図である。薬用瓶１０の瓶口はゴム栓（図１９参照）によって閉塞されており、そのゴム栓を含めた瓶口は口金２０によって封止されている。口金２０の上面やゴム栓の上面は、固定用蓋部材３０によって使用時まで汚染されないように保護されている。
【０００３】
薬剤Ｍ１を使用する場合には、先ず、固定用蓋部材３０を口金２０から外して、図１９（ａ）に示したように、口金２０の透孔２１を介して露出しているゴム栓１１に注射器Ｐの注射針Ｎを刺して、適量の薬剤用溶液Ｍ２を注射器Ｐから注入し、図１９（ｂ）に示したように注射器Ｐの使用が可能な形態の薬液Ｍ３を作成する。このように、使用時に薬液Ｍ３を作成するのは、固体の状態で保管した方が薬剤Ｍ１の経年変化を少なくすることができるからである。
【０００４】
薬液Ｍ３の使用に際しては、図２０（ａ）に示すように、ゴム栓１１に注射器Ｐの注射針Ｎを刺して、必要量の薬液Ｍ３を注射器Ｐに移した後、その移した薬液Ｍ３を患者に投与する。残った薬液Ｍ３は図２０（ｂ）に示した状態で、次の使用時まで冷蔵庫等で保管する。
【発明の概要】
【発明が解決しようとする課題】
【０００５】
しかしながら、このような従来の薬用瓶においては、図２０（ｂ）のような状態で保管されている薬用瓶１０の内容物の成分の残量が、見ただけではわからないという問題点があった。
【０００６】
その理由は、図１９を用いて説明したように、薬剤Ｍ１は適量の薬剤用溶液Ｍ２に溶かしてから使用するものであり、個々の薬剤Ｍ１によって溶液Ｍ２の量が異なっているために、初回使用前の薬液Ｍ３の量が個々の薬剤Ｍ１によって異なってしまうためである。例えば、ある薬剤Ｍ１においては、初回使用前の薬液Ｍ３は薬用瓶１０にほぼ一杯となっており、他の薬剤Ｍ１においては初回使用前の薬液Ｍ３は薬用瓶１０の半分位となってしまうような場合があるからである。
【０００７】
このように、従来の薬用瓶１０を用いて薬液Ｍ３を保管する場合には、残っている薬液Ｍ３の量を見ただけでは、その残っている薬液Ｍ３の中にどれだけの薬剤Ｍ１の成分が残っているのかわからないという問題点があった。
【０００８】
さらに、従来の薬用瓶１０を用いて、図２０（ｂ）に示した状態で保管した場合、ゴム栓１１の上面が露出された状態で保管されることになり、保管中にゴム栓１１の上面が汚染される虞があった。
【課題を解決するための手段】
【０００９】
以上の問題点を解決するために、本発明の第１の手段は、ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、前記固定用蓋部材の頂面板の上面には、当該固定用蓋部材の頂面板の上面と同様の円形形状であり且つシート状の表示片であって、その裏面側に対象物に対して着脱可能に粘着する粘着剤が塗布された表示片が複数枚重畳的に配設された表示片群が貼着され、該表示片群を構成する各表示片のそれぞれの表面側には、前記薬用瓶の内容物の成分の残量に関する表示がなされていることを特徴とするものである。ここで、前記表示片群を構成する各表示片のそれぞれの周縁部には、外側方向に延在するタグが連設されており、当該複数個のタグのそれぞれの表面側には、連設されている前記表示片の表面側になされている前記表示と同一内容の表示がなされていてもよいし、さらに、前記タグの近傍の前記表示片の裏面側には、前記粘着剤が塗布されていなくてもよい。
【００１０】
また本発明の第２の手段は、ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、前記固定用蓋部材の頂面板の上面には、当該固定用蓋部材の頂面板の上面と同じ円形形状の紙葉体であり、その裏面側に対象物に対して着脱可能に粘着する粘着剤が塗布されている紙葉体であるシール部材が貼着され、当該円形形状のシール部材の上面には、当該シール部材と同様の構成の紙葉体であり且つ切断線によって複数個の表示片に分割されている表示片群が貼着され、該表示片群を構成する各表示片のそれぞれの表面側には、前記薬用瓶の内容物の成分の残量に関する表示がなされていることを特徴とするものである。
【００１１】
また、本発明の第３の手段は、ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、前記口金の上面に載置可能な円盤形状であって、その下面側には前記口金の透孔の周縁部の前記口金の頂面板に嵌合する嵌合係止部が形成されている嵌着用蓋部材を具え、前記固定用蓋部材の頂面板の上面の形状は、前記透孔を有する前記口金の頂面板の上面の形状と同じ形状となるように形成され、前記嵌着用蓋部材の上面には、当該上面と同様の円形形状であり且つシート状の表示片であって、その裏面側に対象物に対して着脱可能に粘着する粘着剤が塗布された表示片が複数枚重畳的に配設された表示片群が貼着され、該表示片群を構成する各表示片のそれぞれの表面側には、前記薬用瓶の内容物の成分の残量に関する表示がなされていることを特徴とするものである。ここで、前記表示片群を構成する各表示片のそれぞれの周縁部には、外側方向に延在するタグが連設されており、当該複数個のタグのそれぞれの表面側には、連設されている前記表示片の表面側になされている前記表示と同一内容の表示がなされていてもよいし、さらに、前記タグの近傍の前記表示片の裏面側には、前記粘着剤が塗布されていなくてもよい。
【００１２】
また、本発明の第４の手段は、ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、前記口金の上面に載置可能な円盤形状であって、その下面側には前記口金の透孔の周縁部の前記口金の頂面板に嵌合する嵌合係止部が形成されている嵌着用蓋部材を具え、前記固定用蓋部材の頂面板の上面の形状は、前記透孔を有する前記口金の頂面板の上面の形状と同じ形状となるように形成され、前記嵌着用蓋部材の上面には、当該嵌着用蓋部材の上面と同様の円形形状の紙葉体であり、その裏面側に対象物に対して着脱可能に粘着する粘着剤が塗布され且つ切断線によって複数個の表示片に分割されている表示片群が貼着され、該表示片群を構成する各表示片のそれぞれの表面側には、前記薬用瓶の内容物の成分の残量に関する表示がなされていることを特徴とするものである。
【００１３】
また、本発明の第５の手段は、ゴム栓によって瓶口が閉塞されている薬用瓶であって、その瓶口が頂面板に透孔を有する口金によって封止され、当該口金の上部には、円筒状の周胴部と頂面板とからなり前記口金の透孔の周縁部の前記口金の頂面板に係合する固定用円筒部を有する合成樹脂製の固定用蓋部材が冠着している薬用瓶において、前記口金の上面に載置可能な円盤形状であって、その下面側には前記口金の透孔の周縁部の前記口金の頂面板に嵌合する嵌合係止部が形成されている嵌着用蓋部材を具え、前記固定用蓋部材の頂面板の上面の形状は、前記透孔を有する前記口金の頂面板の上面の形状と同じ形状となるように形成され、前記薬用瓶の側面に貼着されている内容物の名称等を表示するラベルには、切り取り線を介して連設された複数個の表示片からなる表示片群が連設されており、該表示片群を構成する各表示片のそれぞれの表面側には、前記薬用瓶の内容物の成分の残量に関する表示がなされていることを特徴とするものである。
【００１４】
以上の本発明の第３，第４，第５の手段においては、前記嵌着用蓋部材の前記嵌合係止部は、前記口金の前記透孔の周縁部に形成されている立上げ部と嵌合可能な円形溝部であってもよいし、また、前記嵌着用蓋部材の前記嵌合係止部は、前記口金の前記透孔に嵌合可能な円形凸部であってもよい。
【発明の効果】
【００１５】
以上のように構成された本発明によれば、初回の使用時から最終使用時に至るまで、ゴム栓の上面の汚染を防止することが出来るとともに、保管時の薬用瓶を見ただけで内容物の成分の残量を容易に知ることができる。
【図面の簡単な説明】
【００１６】
【図１】本発明の実施例１の構成を示す斜視図である。
【図２】本発明の実施例１の構成を示す分解斜視図である。
【図３】本発明の実施例１の構成を示す分解斜視図である。
【図４】本発明の実施例１の構成を示す断面図である。
【図５】本発明の実施例１の使用方法の説明図である。
【図６】本発明の実施例１の使用方法の説明図である。
【図７】本発明の実施例１の使用方法の説明図である。
【図８】本発明の実施例１の構成の説明図である。
【図９】本発明の実施例１の構成の説明図である。
【図１０】本発明の実施例１の構成の説明図である。
【図１１】本発明の実施例１の構成の説明図である。
【図１２】本発明の実施例２の構成を示す斜視図である。
【図１３】本発明の実施例２の構成を示す分解斜視図である。
【図１４】本発明の実施例２の構成を示す断面図である。
【図１５】本発明の実施例２の構成の説明図である。
【図１６】本発明の実施例２の構成の説明図である。
【図１７】本発明の実施例２の構成の説明図である。
【図１８】従来の薬用瓶の構成を示す斜視図である。
【図１９】従来の薬用瓶の使用方法の説明図である。
【図２０】従来の薬用瓶の使用方法の説明図である。
【発明を実施するための形態】
【００１７】
以下、図面を用いて本発明の実施例について説明する。
【実施例１】
【００１８】
図１は、本発明の実施例１の構成を示した斜視図であり、図２はその分解斜視図、図３は裏面側から見た分解斜視図、図４は図１に示した状態の断面図である。
【００１９】
図１ないし図４において、薬用瓶１０，口金２０，固定用蓋部材３０の構成は、図１５を用いて先に説明した従来の薬用瓶と同様の構成である。
【００２０】
すなわち、薬剤Ｍ１を収納してある薬用瓶１０の瓶口は、ゴム栓１１によって閉塞されており、金属薄板からなる口金２０によって封止されている。
【００２１】
口金２０は円筒状の周胴部２３と頂面板２２によって構成されており、頂面板２２の中央部には透孔２１が穿設されている。周胴部２３の下端部は、図４に示すように薬用瓶１０の瓶口部に巻き締め固定されている。
【００２２】
合成樹脂製の固定用蓋部材３０は円筒状の周胴部３３と円形の頂面板３２とによって構成されている。頂面板３２の下面側には、図４に示すように、口金２０の透孔２１の周縁部の頂面板２２に係合する固定用円筒部３１が設けられている。
【００２３】
図２，図３に示すように、本実施例１においては、固定用蓋部材３０の頂面板３２の上面に、表示片４１〜４４が重畳的に配設された構成の表示片群４０が貼着されている。
【００２４】
表示片４１〜４４のそれぞれの表面側には、薬用瓶の内容物の成分の残量に関する表示４１ａ〜４４ａがなされている。このシート状の表示片４１〜４４の形状は、固定用蓋部材３０の頂面板３２の上面と同様の円形形状となっている。表示片４１〜４４の裏面側には、図３に示したように、対象物に対して着脱自在に粘着する粘着剤４１ｂ〜４４ｂが塗布されている。ここで、表示片４４の裏面側においては、口金２０の透孔２１と対向する部分だけ粘着剤４４ｂが塗布されていない構成となっている。このように構成することによって、表示片群４０を口金２０の頂面板２２の上面に貼着させた場合でも、粘着剤４４ｂがゴム栓１１の上面に接触することを防ぐことができる。
【００２５】
次に、以上のように構成された本実施例１の使用方法について図５〜図７を用いて説明する。
【００２６】
先ず、本実施例１に収納されている薬剤Ｍ１の初回使用時においては、従来と同様の作業をする。
【００２７】
すなわち、図５（ａ）〜（ｂ）に示したように、薬用瓶１０から固定用蓋部材３０を外し（図５（ａ））、適量の薬剤用溶液で薬剤Ｍを溶かして薬液Ｍ３を作成し（図５（ｂ））、その作成した薬液Ｍ３を必要量だけ注射器Ｐに移して使用する（図５（ｃ））。そして、図５（ｄ）に示したように、残った薬剤Ｍ３を保管する場合には、初めに外しておいた固定用蓋部材３０の上面から表示片群４０を剥がして、次に、図６に示したように薬液Ｍ３の残量中の成分の残量に相当する表示（図６においては表示４２ａ）が最上面となるように、その上に配設されている表示片（図６においては表示片４１）を剥がしてから、表示片群４０を口金２０の頂面板２２の上面に貼着する。
【００２８】
このような状態にして、冷蔵庫等に薬用瓶１０を保管しておけば、ゴム栓１１の上面が汚染される虞はなく、また、その薬用瓶１０の上面を一目見ただけで残っている薬液Ｍ３の中の成分の残量を知ることができる。
【００２９】
以後、図７（ａ）〜（ｄ）に示したように、口金２０から表示片群４０を剥がして薬液Ｍ３を使用する度毎に、残っている薬液Ｍ３に対応する表示が最上面となるように、その上に配設されている表示片を剥がしてから、表示片群４０を口金２０の上面に貼着する作業を繰り返す。
【００３０】
なお、各表示片４１〜４４を剥がし易くするために、図８に示したように、各表示片４１〜４４のそれぞれの周縁部に外側方向に延在するタグ４１ｃ〜４４ｃを連設する構成としてもよい。図９は図８の分解斜視図、図１０は図８の裏面側から見た分解斜視図である。
【００３１】
このようなタグ４１ｃ〜４４ｃを表示片４１〜４４のそれぞれに連設した場合には、図９に示したように、それぞれのタグ４１ｃ〜４４ｃの表面側に、そのタグが連設されている表示片４１〜４４の表示４１ａ〜４４ａと同一内容の表示４１ｄ〜４４ｄを付して、図１０に示したように、表示片４１〜４４の裏面側のタグ４１ｃ〜４４ｃの近傍には粘着剤４１ｂ〜４４ｂを塗布しない構成とすれば、剥がすべき表示片を瞬時に見つけて、その表示片を容易に剥がすことができるようにすることができる。
【００３２】
以上説明した実施例１においては、円形形状の表示片４１〜４４によって表示片群４０が構成されているが、この表示片群は、図１１（ａ）〜（ｄ）に示したように円形形状の１枚の紙葉体６０で構成し、その紙葉体６０を切断線６０ａによって分割して、分割された各片を表面側に表示がなされた表示片６１〜６４としてもよい。６０ｂは紙葉体（表示片群）６０の裏面側に塗布された、対象物に対して着脱自在に粘着する粘着剤である。図１１（ａ）〜（ｄ）に示したように表示片群６０を構成した場合には、表示片群６０の下側に、表示片群６０と同じ円形形状の紙葉体であって裏面側に対象物に対して着脱自在に粘着する粘着剤５０ｂが塗布されているシール部材５０を配設する構成とする。このようなシール部材５０を配設することによって、保管中の薬用瓶１０のゴム栓１１の上面の汚染を、表示片群６０の状態の変化の如何にかかわらず防止することができる。なお、図１１（ａ）〜（ｄ）に示した表示片群６０においては、シール部材５０上に存在する表示片に記載された表示の加算値が成分の残量を示す値となるように、各々の表示片６１〜６４の表示がなされている。
【実施例２】
【００３３】
図１２は、本発明の実施例２の構成を示す斜視図であり、図１３はその分解斜視図、図１４は図１２の断面図である。
【００３４】
本実施例２が、先に説明した実施例１と異なるところは、固定用蓋部材３０と表示片群４０との間に発泡スチロール等の合成樹脂からなる嵌着用蓋部材７０が配設されていることである。その他、先の実施例１と同一符号のものは同一のものを示しているので、その説明は省略する。この嵌着用蓋部材７０は、先に説明したシール部材５０（図１１参照）と同様の機能を果たすものである。
【００３５】
嵌着用蓋部材７０は、口金２０の頂面板２２に載置可能な円盤形状をしており、その下面側には口金２０の頂面板２２に載置した際、口金２０の透孔２１の周縁部の頂面板２２に嵌合する嵌合係止部が形成されている。本実施例２においては、図１３に示したように、口金２０の透孔２１の周縁部に立上げ部２４が形成されているので、嵌着用蓋部材７０の嵌合係止部は、この立上げ部２４に嵌合する円形溝部７１として形成されている。ここで、嵌着用蓋部材７０の下面側の口金２０に接する部分に、表示片群４０の下面側と同様の粘着剤を塗布する構成としてもよい。
【００３６】
このように、本実施例２においては、嵌着用蓋部材７０を介在させることにより、ゴム栓１１の上面の汚染を防ぐとともに、上面が平坦でない口金２０の上面にも表示片群４０を配設することができる。
【００３７】
ここで、本実施例２においては、固定用蓋部材３０の頂面板３２の上面の形状が、口金２０の頂面板２２の上面の形状と同じ形状となるように形成されている。すなわち、固定用蓋部材２０の頂面板３２の上面には、口金２０の立上げ部２４と同様の形状の立上げ部３５が形成されており、その内部の円形凹部３４の径は口金２０の透孔２１の径と等しくなるように選ばれている。このように固定用蓋部材３０の上面部を構成することによって、商品（薬用瓶１０および薬剤Ｍ１）の出荷時においては、嵌着用蓋部材７０を固定用蓋部材３０の上部に嵌着させた状態で出荷することができる。
【００３８】
なお、本実施例２においては、透孔２１の周縁部に立上げ部２４が形成されている構成の口金２０が薬用瓶１０に装着されているので、図１５（ａ）に示したように、固定用蓋部材３０の上面には立上げ部３５が形成され、嵌着用蓋部材７０の下面側には円形溝部７１が形成されている構成となっているが、薬用瓶１０に装着されている口金２０の透孔２１の周縁部に立上げ部が形成されていない場合には、図１５（ｂ）に示したように、固定用蓋部材３０の頂面板３２には、透孔２１と径が等しい円形凹部３６を設け、嵌着用蓋部材７０の下面側には、口金２０の透孔２１に嵌合する円形凸部７２を設ければよい。
【００３９】
また、本実施例２においては、円形形状の表示片が複数枚重畳的に配設される構成の表示片群４０となっているが、この表示片群４０を構成する各表示片は、図８〜図１０で示したような構成のタグ４１ｃ〜４４ｃが連設されている表示片４１〜４４としてもよく、さらにこの表示片群４０は、先に図１１（ａ）〜（ｄ）を用いて説明したように、表面側に表示がなされた表示片６１〜６４からなる表示片群６０としてもよい。
【００４０】
さらに、本実施例２のように、口金２０の上面に嵌着する嵌着用蓋部材７０をその構成要素とする場合には、表示片群を、図１６に示すように、薬用瓶１０の側面部に貼着されている内容物Ｍ１の名称等を表示するラベル８０に連設するような構成としてもよい。すなわち、図１６においては、表示片群９０は、切り取り線９０ａを介して連設された表面側に表示がなされた複数個の表示片９１〜９３から構成されており、その表示片群９０自体はラベル８０に連設されている。このような表示片群９０をラベル８０に連設する構成とした場合には、図１７（ａ）〜（ｄ）に示したように、薬液Ｍ３を使用する度毎に、薬液Ｍ３の残量に相当する表示が残るように表示片９１〜９４を順次切り取り線９０ａを用いて切り離してゆけばよい。
【符号の説明】
【００４１】
１０  薬用瓶
１１  ゴム栓
２０  口金
２１  透孔
２２，３２  頂面板
２３，３３  周胴部
２４，３５  立上げ部
３０  固定用蓋部材
３１  固定用円筒部
３４，３６  円形凹部
４０，６０，９０  表示片群
４１〜４４，６１〜６４，９１〜９４  表示片
４１ａ〜４４ａ，４１ｄ〜４４ｄ  表示
４１ｂ〜４４ｂ，５０ｂ，６０ｂ  粘着剤
４１ｃ〜４４ｃ  タグ
５０  シール部材
６０ａ  切断線
７０  嵌着用蓋部材
７１  円形溝部
７２  円形凸部
８０  ラベル
９０ａ  切り取り線
Ｍ１  薬剤
Ｍ２  薬剤用溶液
Ｍ３  薬液
Ｎ  注射針
Ｐ  注射器
【図１】
0005774376.tif 000002
【図２】
0005774376.tif 000003
【図３】
0005774376.tif 000004
【図４】
0005774376.tif 000005
【図５】
0005774376.tif 000006
【図６】
0005774376.tif 000007
【図７】
0005774376.tif 000008
【図８】
0005774376.tif 000009
【図９】
0005774376.tif 000010
【図１０】
0005774376.tif 000011
【図１１】
0005774376.tif 000012
【図１２】
0005774376.tif 000013
【図１３】
0005774376.tif 000014
【図１４】
0005774376.tif 000015
【図１５】
0005774376.tif 000016
【図１６】
0005774376.tif 000017
【図１７】
0005774376.tif 000018
【図１８】
0005774376.tif 000019
【図１９】
0005774376.tif 000020
【図２０】
0005774376.tif 000021